(57)【要約】【課題】偏心補正信号の消失を抑制するとともに、記録素子と再生素子の間に半径方向のオフセットがある場合にも、偏心補正信号を読み取る。【解決手段】記録素子や再生素子の位置制御に用いられる偏心補正信号を書き込むためのビットパターン１２０が、磁気ディスク１０の半径方向に関する長さｃが円周方向に関する長さｄよりも短く設定されているので、熱揺らぎによる記録情報への影響が生じにくい程度の面積を維持しつつ、半径方向に関して、比較的細かい間隔でビットパターン１２０を配置することができる。これにより、半径方向に並ぶビットパターンの集合をほぼ連続領域のように扱う（情報を読み書きする）ことができるので、記録素子と再生素子の間に半径方向のオフセットがある場合であっても、そのオフセット量に関わらず補正信号ｓの記録及び読み出しを行うことができる。【選択図】図６
2010140545.tif 000002
【特許請求の範囲】
【請求項１】
基板と、
前記基板上に設けられ、記録素子又は／及び再生素子の位置制御に用いられる補正信号を書き込むための単磁区磁性ドットと、を備え、
前記補正信号を書き込むための単磁区磁性ドットは、前記基板の半径方向に関する長さが、円周方向に関する長さよりも短い形状を有することを特徴とする磁気記録媒体。
【請求項２】
前記基板上に同心円状又はらせん状に設けられた、データ情報を書き込むための単磁区磁性ドットを更に備え、
前記データ情報を書き込むための単磁区磁性ドットの前記半径方向に関する列数よりも、前記補正信号を書き込むための単磁区磁性ドットの前記半径方向に関する列数のほうが多いことを特徴とする請求項１に記載の磁気記録媒体。
【請求項３】
前記補正信号を書き込むための単磁区磁性ドットと、前記データ情報を書き込むための単磁区磁性ドットとは、同一の面積を有することを特徴とする請求項２に記載の磁気記録媒体。
【請求項４】
前記補正信号を書き込むための単磁区磁性ドットのアスペクト比は、前記データ情報を書き込むための単磁区磁性ドットのアスペクト比の逆数であることを特徴とする請求項２又は３に記載の磁気記録媒体。
【請求項５】
請求項１〜４のいずれか一項に記載の磁気記録媒体を回転駆動する駆動部と、
前記磁気記録媒体に対して情報の再生を行う再生素子を有する磁気ヘッドと、
前記磁気ヘッドを前記磁気記録媒体の半径方向に移動させるヘッドアクチュエータと、
前記磁気記録媒体の前記単磁区磁性ドットに書き込まれた補正信号を、前記再生素子により読み出して前記磁気ヘッドの位置を調整する制御部と、を備える磁気記憶装置。
【発明の詳細な説明】
【技術分野】
【０００１】
本発明は、磁気記録媒体及び磁気記憶装置に関し、特に情報の記憶に用いられる磁気記録媒体及び当該磁気記録媒体を駆動する磁気記憶装置に関する。
【背景技術】
【０００２】
近年、磁気記憶装置（ＨＤＤ（hard disk drive））の記録容量を増大させることを目的として、磁気記録媒体の面記録密度向上のための研究が進められている。その結果、磁気記録媒体上の記録ビットサイズは数１０ｎｍ程度という極めて微細なものになってきている。このような微細な記録ビットから再生出力を得るには、各ビットに対して可能な限り大きい飽和磁化と膜厚を確保することが必要となる。しかしながら、記録ビットの微細化は、１ビットあたりの磁化量を小さくするため、熱揺らぎによる磁化反転が起きやすくなり、これにより、磁化情報が消失しやすくなるおそれがある。
【０００３】
また、Ｓ／Ｎ比の改善のために、グラニュラ材料の磁性粒径を小さくした場合にも、熱揺らぎによる磁化反転により、磁化情報が消失しやすくなるおそれがある。これは、磁性粒子の磁化の向きを一方向に保つのに必要な磁気異方性エネルギーが室温の熱揺らぎエネルギー程度になることで、時間とともに磁化が揺らぎ、これにより記録した情報が消失するというものである。
【０００４】
一般に、Ｋｕ・Ｖ／ｋＴ（Ｋｕは異方性定数、Ｖは磁化最小単位体積、ｋはボルツマン定数、Ｔは絶対温度）の値が大きいほど、熱揺らぎの影響は小さくなる。すなわち、熱揺らぎの影響を抑制するためには、磁性材料として異方性定数Ｋｕの大きな材料を用いることが考えられる。しかしながら、Ｋｕの大きい材料を用いた場合、当該材料に情報（データ）を書き込むのに必要な磁界を発生することが可能なヘッド磁性材料はほとんど無い。
【０００５】
これに対し、最近では、熱揺らぎによる磁化反転を抑制するための媒体として、パターンド媒体と呼ばれる磁気記録媒体が注目されている（例えば、特許文献１参照）。このパターンド媒体は、非磁性体層中に記録ビット単位となる単磁区（Single Domain）の複数の磁性体領域をそれぞれ独立に形成した磁気記録媒体である。このパターンド媒体は磁性薄膜を記録磁区の大きさに分断したものであるから、磁化最小単位体積Ｖを大きくでき、熱揺らぎの問題を回避することができる。
【０００６】
【特許文献１】特開２００１−１７６０４号公報
【発明の開示】
【発明が解決しようとする課題】
【０００７】
上記パターンド媒体には、一般に、情報を記録するデータ部と、磁気ヘッドの位置決め等に用いられるサーボ部とが設けられる。この場合、データ部を単磁区の材料で形成するのは勿論、サーボ部についても単磁区の材料で形成する必要がある。
【０００８】
上記サーボ部には、サーボ・アドレス情報を記録する領域や、サーボバースト情報を記録する領域、補正情報（偏心補正信号）を記録する領域などが含まれる。このうち、サーボ・アドレス情報を記録する領域や、サーボバースト情報を記録する領域には、予め各情報を記録しておくが、偏心補正信号を記録する領域には、装置組み立て後に補正情報（偏心補正信号）を書き込む必要がある。したがって、パターンド媒体上に設ける偏心補正信号を記録する領域としては、種々の信号に対応するために連続的な領域にしておくことが好ましい。また、磁気ヘッドを構成する記録素子と再生素子は磁気記録媒体の半径方向にある程度オフセットし、かつそのオフセット量は装置ごとに異なるので、当該オフセット量に関わらず偏心補正信号の書き込み及び再生を可能にするためには、当該偏心補正信号を記録する領域を連続的な領域にすることが好ましい。
【０００９】
しかるに、単磁区材料では連続的な領域を形成することが不可能であるし、補正信号領域の記録ビットを細かくしすぎると、補正信号が上述した熱揺らぎにより消失するおそれがある。
【００１０】
そこで本発明は上記の課題に鑑みてなされたものであり、補正信号の消失を抑制しつつ、記録素子と再生素子の間に半径方向のオフセットがある場合にも補正信号を読み取ることが可能な磁気記録媒体を提供することを目的とする。また、本発明は、高精度な磁気記録媒体への情報の記録・再生を行うことが可能な磁気記憶装置を提供することを目的とする。
【課題を解決するための手段】
【００１１】
本明細書に記載の磁気記録媒体は、基板と、前記基板上に設けられ、記録素子又は／及び再生素子の位置制御に用いられる補正信号を書き込むための単磁区磁性ドットと、を備え、前記補正信号を書き込むための単磁区磁性ドットは、前記基板の半径方向に関する長さが、円周方向に関する長さよりも短い形状を有している。
【００１２】
これによれば、記録素子又は／及び再生素子の位置制御に用いられる補正信号を書き込むための単磁区磁性ドットは、基板の半径方向に関する長さが円周方向に関する長さよりも短く設定されているので、熱揺らぎによる補正信号への影響が生じにくい程度の面積を維持しつつ、半径方向に関して、比較的細かい間隔で単磁区磁性ドットを配置することができる。このようにすることで、半径方向に並ぶ単磁区磁性ドットの集合を、ほぼ連続領域のように扱う（情報を読み書きする）ことができるので、記録素子と再生素子の間に半径方向のオフセットがある場合であっても、当該オフセットを考慮した位置に補正信号を書き込むことができるので、オフセットの影響なく、補正信号の読み書きを行うことが可能となる。また、単磁区磁性ドットの円周方向長さを長くすることで、記録素子又は／及び再生素子をシークさせる際の補正信号読み取り誤差を小さくすることができる。
【００１３】
本明細書記載の磁気記憶装置は、本明細書記載の磁気記録媒体を回転駆動する駆動部と、前記磁気記録媒体に対して情報の再生を行う再生素子を有する磁気ヘッドと、前記磁気ヘッドを前記磁気記録媒体の半径方向に移動させるヘッドアクチュエータと、前記磁気記録媒体の前記単磁区磁性ドットに書き込まれた補正信号を、前記再生素子により読み出して前記磁気ヘッドの位置を調整する制御部と、を備えている。
【００１４】
これによれば、補正信号の消失を抑制するとともに、記録素子と再生素子の間に半径方向のオフセットがある場合にも補正信号を読み取ることが可能な磁気記録媒体を備えているので、制御部が、再生素子により読み出された単磁区磁性ドットに書き込まれた補正信号に基づいて磁気ヘッドの位置を調整することにより、磁気記録媒体への情報の記録・再生を高精度に行うことが可能となる。
【発明の効果】
【００１５】
本明細書に記載の磁気記録媒体は、補正信号の消失を抑制しつつ、記録素子と再生素子の間に半径方向のオフセットがある場合にも補正信号を読み取ることができるという効果を奏する。また、本明細書に記載の磁気記憶装置は、磁気記録媒体への情報の記録・再生を高精度に行うことができるという効果を奏する。
【発明を実施するための最良の形態】
【００１６】
以下、本発明の磁気記録媒体及び磁気記憶装置の一実施形態について、図１〜図６に基づいて詳細に説明する。
【００１７】
図１は、一実施形態に係る磁気記録装置としてのハードディスクドライブ（ＨＤＤ）１００の内部構成を示している。この図１に示すように、ＨＤＤ１００は、箱型の筺体１２と、筺体１２内部の空間（収容空間）に収容された磁気記録媒体としての磁気ディスク１０、駆動部としてのスピンドルモータ１４、ヘッドアクチュエータとしてのヘッド・スタック・アッセンブリ（ＨＳＡ）４０等と、を備える。なお、筺体１２は、実際には、ベースと上蓋（トップ・カバー）とにより構成されているが、図１では、図示の便宜上、ベースのみを図示している。
【００１８】
磁気ディスク１０は、表面が記録面となっており、スピンドルモータ１４によって、その回転軸回りに例えば４２００〜１５０００ｒｐｍなどの高速度で回転駆動される。なお、磁気ディスク１０は、表面と裏面の両面が記録面であっても良い。また、磁気ディスク１０は、図１の紙面直交方向に複数枚設けられていても良い。
【００１９】
この磁気ディスク１０は、いわゆるパターンドメディア（ビットパターンド媒体）であり、その記録面には、ビット状に分離した単結晶、単磁区の磁性膜を有する。なお、磁気ディスク１０の詳細については後述する。
【００２０】
ＨＳＡ４０は、円筒形状のキャリッジ部３０と、キャリッジ部３０に固定されたフォーク部３２と、フォーク部３２に保持されたコイル３４と、キャリッジ部３０に固定されたキャリッジアーム３６と、キャリッジアーム３６に保持されたヘッドスライダ１６と、を備えている。なお、前述のように、磁気ディスク１０の表面と裏面の両面が記録面である場合には、キャリッジアーム及びヘッドスライダが磁気ディスク１０を挟んで上下対称に一対設けられる。また、磁気ディスクが複数枚設けられている場合には、各磁気ディスクの各記録面に対応して、キャリッジアームとヘッドスライダが設けられる。
【００２１】
キャリッジアーム３６は、例えばステンレス板を打ち抜き加工したり、アルミニウム材料を押し出し加工することにより成型される。ヘッドスライダ１６は、記録素子４３と再生素子４４（図３参照）を含む記録再生ヘッド（以下、「磁気ヘッド」と呼ぶ）を有している。
【００２２】
ＨＳＡ４０は、キャリッジ部３０の中心部分に設けられた軸受部材１８を介して、筺体１２に回転自在（Ｚ軸回りの回転が自在）に連結されている。また、ＨＳＡ４０が有するコイル３４と、筺体１２のベースに固定された永久磁石を含む磁極ユニット２４とにより構成されるボイスコイルモータ５０により、ＨＳＡ４０の軸受部材１８を中心とした揺動が行われる。なお、図１では、揺動の軌道が、一点鎖線にて示されている。
【００２３】
上記のように構成されるＨＤＤ１００では、磁気ディスク１０に対するデータ（情報）の読み書きは、キャリッジアーム３６の先端に設けられた磁気ヘッドによって行われる。この場合、磁気ヘッドを保持するヘッドスライダ１６は、磁気ディスク１０の回転によって生じる揚力によって、磁気ディスク１０の表面から浮上し、磁気ヘッドは、磁気ディスク１０との間に微小間隔を維持した状態でデータの読み書きを実行する。また、キャリッジアーム３６が上述した揺動を行うことにより、磁気ヘッドが磁気ディスク１０のトラック横断方向にシーク移動し、読み書きする対象のトラックを変更する。
【００２４】
図２には、磁気ディスク１０上のフォーマットが模式的に示されている。磁気ディスク１０上には、図２に示すサーボ領域９０とデータ領域９２とが円周方向に沿って交互に設けられている。
【００２５】
サーボ領域９０には、プリアンブル（＃１）１０２、サーボマーク・アドレス１０４、及びサーボバースト１０６が予め記録される。また、サーボバースト１０６の後方には、磁気ディスク１０がＨＤＤ１００に組み込まれた後に、記録素子４４を用いて偏心補正データを記録するためのポストコード領域１０８が設けられている。
【００２６】
データ領域９２には、プリアンブル（＃２）１１０、及びデータ（Read/Writeデータ）を記録するための領域（記録再生領域１１２）が設けられている。
【００２７】
図３は、ＨＤＤ１００の制御部としての制御系１５０を示すブロック図である。この図３に示す制御系１５０は、プリアンプ部４６、リード／ライト部４８、ハードディスクコントローラ（ＨＤＣ）５２、及びサーボコントローラ（ＳＶＣ）５４を備えている。
【００２８】
プリアンプ部４６は、アンプ５６Ａと、ドライバ５６Ｂと、を有する。リード／ライト部４８は、同期回路５８、前置フィルタ６０、スイッチ回路６２、データ用復調回路６４、サーボ用復調回路６６、ポストプロセッサ６８、記録補償回路７０及びドライバ７２を有する。
【００２９】
再生素子４２により磁気ディスク１０（図１参照）から再生された情報（データ）は、アンプ５６Ａ、同期回路５８及び前置フィルタ６０を介してデータ用復調回路６４及びサーボ用復調回路６６に供給される。同期回路５８は、再生された情報からクロック及びサーボマークを生成してスイッチ回路６２に供給する。スイッチ回路６２は、クロック及びサーボマークに基づいて、サーボ領域を再生中には前置フィルタ６０の出力がサーボ用復調回路６６により復調され、データ領域を再生中には前置フィルタ６０の出力がデータ用復調回路６４により復調されるように、復調回路６４、６６の切り替えを行う。
【００３０】
データ用復調回路６４の出力再生データはＨＤＣ５２に供給され、サーボ用復調回路６６の出力サーボ情報はＳＶＣ５４に供給される。再生データは、ＨＤＣ５２を介してＨＤＤ１００内の他の部分又は外部へ出力される。再生サーボ情報は、ＳＶＣ５４においてＨＤＤ１００の各種制御に用いられる。
【００３１】
一方、記録時には、記録データがＨＤＣ５２、ポストプロセッサ６８、記録補償回路７０及びドライバ７２、５６Ｂを介して記録素子４４に供給され、記録素子４４により記録データが磁気ディスク１０上のデータ領域内にプリアンブル（＃２）１１０に続いて記録される。
【００３２】
図４（ａ）は、図２におけるポストコード領域１０８とデータ領域９２を拡大して示す平面図である。なお、図４（ａ）の紙面上下方向が、磁気ディスク１０の半径方向であり、紙面左右方向が、磁気ディスク１０の円周方向であるものとする。
【００３３】
この図４（ａ）に示すように、本実施形態では、磁気ディスク１０の基材としての円盤状のディスク基板２００上に、単磁区磁性ドットとしての多数のビットパターンが形成されている。このうち、データ領域９２内に属するビットパターン１２２（データ情報を書き込むための単磁区磁性ドット）は、半径方向に関する長さ（ａ）が、円周方向に関する長さ（ｂ）よりも長く（ａ＞ｂ）設定されている。このように、ａ，ｂがａ＞ｂの関係となっているのは、
（１）記録密度の向上及び転送速度の向上を図るためには、円周方向に関する長さ（ｂ）を極力短くすべきであること、
（２）ビットパターン１２２の面積を小さくしすぎると、熱揺らぎによる磁気消失が発生するおそれがあることから、磁気消失の発生しない必要最小限の面積（必要最小面積Ｓ）以上とする必要があること、
の両要件を満たす必要があり、これらの要件を満足しようとすると、半径方向に関する長さ（ａ）が必然的に長くなるのである。
【００３４】
一方、ポストコード領域１０８に属するビットパターン１２０（補正信号を書き込むための単磁区磁性ドット）は、同心円状に配置され、半径方向に関する長さ（ｃ）が、円周方向に関する長さ（ｄ）よりも短く（ｃ＜ｄ）設定されている。ここで、例えば、データ領域９２のビットパターン１２２のアスペクト比（縦横比）をａ／ｂとすると、ポストコード領域１０８のビットパターン１２０のアスペクト比ｃ／ｄが、ａ／ｂの逆数となるように（すなわち、ｃ／ｄ＝ｂ／ａとなるように）設定されている。
【００３５】
本実施形態において、上記のように、ビットパターン１２０の寸法ｃ，ｄをｃ＜ｄとしたのは、
（１）熱揺らぎによる磁気消失の発生を考慮すると面積を必要最小面積Ｓと同一又は大きくすることが好ましいこと、
（２）ビットパターン１２０を、記録密度の低下があまり生じない範囲で半径方向に可能な限り多く配列すること、
の両要件を満たす必要があり、これらの要件を満足しようとすると、半径方向に関する長さ（ｃ）を円周方向に関する長さ（ｄ）よりも短くする必要があるからである。なお、上記（２）のようにポストコード領域１０８のビットパターン１２０を半径方向に可能な限り多く配列するようにしたのは、このようにすることで、半径方向に並ぶビットパターン１２０の集合をほぼ連続領域のように扱える（連続領域のように情報の読み書きを行える）からである。
【００３６】
また、本実施形態では、ビットパターン１２０の面積を、前述した必要最小面積Ｓに設定することもできる。この場合、ａ，ｂ，ｃ，ｄの寸法は、ａ＝ｄ、ｂ＝ｃの関係を満たし、かつビットパターン１２０，１２２が同一形状となる。ただし、これに限らず、ビットパターン１２０の面積とビットパターン１２２の面積は異なっていても良い。
【００３７】
なお、図４（ａ）においては、データ領域９２のビットパターン１２２の円周方向に並ぶ１列（１トラック）に対し、ポストコード領域１０８のビットパターン１２０がおよそ３列配列されている。
【００３８】
ここで、ポストコード領域１０８は、実際には、図４（ｂ）に示すように、記録素子用ポストコード領域１０８Ｗ（図４（ｂ）では円周方向に４ビット分）と、再生素子用ポストコード領域１０８Ｒ（図４（ｂ）では円周方向に４ビット分）とに分けられる。記録素子用ポストコード領域１０８Ｗには、記録素子４４の位置補正（偏心補正）をするための補正信号が記録される。また、再生素子用ポストコード領域１０８Ｒには、再生素子４２の位置補正（偏心補正）をするための偏心補正信号が記録される。この場合、偏心補正信号は、磁気ディスク１０がＨＤＤ１００に搭載された後（出荷前）の事前計測において予め取得されているので、偏心補正信号は、ＨＤＤ１００の出荷前に記録素子４４を介して、ポストコード領域１０８に書き込まれる。
【００３９】
本実施形態では上記のようなポストコード領域１０８を設けることにより、以下に示すような偏心補正を行うことが可能である。
【００４０】
例えば、磁気ヘッドの製造上、図５（ａ）に示すように、記録素子４４と再生素子４２の中心線が半径方向にずれている（オフセットしている）ものとする。なお、実際には、図５（ａ）ほど極端な量のオフセットは発生しないと考えられるが、図５（ａ）では、図示及び説明の便宜上、極端な例を示している。
【００４１】
この場合において、実際には磁気ディスク１０とＨＤＤ１００との間に偏心が存在するにもかかわらず、当該偏心が無いと仮定して磁気ヘッドの位置制御を行ってしまうと、図５（ｂ）に示すトラックＴ１上に素子４４、４２を位置決めすべきであるのに、図５（ｂ）に示すような軌道で記録素子４４及び再生素子４２が移動（磁気ディスク１０に対する相対移動）してしまう場合がある。
【００４２】
そこで、本実施形態では、記録素子用ポストコード領域１０８Ｗのうち、記録素子４２がトラックＴ１にデータを記録する直前に通過する部分（図６（ａ）の囲み部分Ａｗ参照）に、記録素子４４用の偏心補正信号を予め（ＨＤＤ１００の出荷前に）記録しておくこととする。この記録素子４４用の偏心補正信号は、記録素子４４をトラックＴ１上に位置決めするのに必要な磁気ヘッドの移動距離ｄｗに関する値（例えば、電圧値）を意味している。なお、本実施形態では、前述のように、データ領域１トラックにつき、およそ３列のビットパターン１２０が割り振られているので、偏心補正信号は、図４（ｂ）に示すように３列ごとに記録される。
【００４３】
また、再生素子用ポストコード領域１０８Ｒのうち、再生素子４２がトラックＴ１からデータを再生する直前に通過する部分（図６（ｂ）の囲み部分Ａｒ参照）には、再生素子４２用の偏心補正信号を予め（ＨＤＤ１００の出荷前に）記録しておくこととする。この再生素子４２用の偏心補正信号は、再生素子４２をトラックＴ１上に位置決めするのに必要な磁気ヘッドの移動距離ｄｒに関する値（電圧値）を意味している。この場合も、偏心補正信号は、上記記録素子用ポストコード領域１０８Ｗと同様、３列ごとに記録される（図４（ｂ）参照）。
【００４４】
本実施形態では、記録素子４４を用いたトラックＴ１へのデータ記録の際には、再生素子４２を用いて記録素子用ポストコード領域１０８Ｗ（図６（ａ）の囲み部分Ａｗ）に記録された偏心補正信号を読み取る。そして、その読み取り結果に基づいて記録素子４４をトラックＴ１上に位置決めするようにＳＶＣ５４がボイスコイルモータ５０を制御する（図６（ａ）の白抜き矢印参照）。また、再生素子４２を用いたトラックＴ１のデータ再生の際には、再生素子４２を用いて、再生素子用ポストコード領域１０８Ｒ（図６（ａ）の囲み部分Ａｒ）に記録された偏心補正信号を読み取る。そして、その読み取り結果に基づいて記録素子４２をトラックＴ１上に位置決めするようにＳＶＣ５４がボイスコイルモータ５０を制御する（図６（ｂ）の白抜き矢印参照）。
【００４５】
このように、ポストコード領域１０８を磁気ヘッドが通過するごとに（セクタごとに）、偏心補正信号に基づいて磁気ヘッドを所望のトラックへ位置決めすることで、各トラックに対するデータの記録、及び各トラックからのデータの再生を高精度に行うことが可能である。
【００４６】
以上詳細に説明したように、本実施形態によると、記録素子４４及び再生素子４２の制御に用いられる偏心補正信号を書き込むためのビットパターン１２０が、磁気ディスク１０の半径方向に関する長さｃが円周方向に関する長さｄよりも短い形状を有しているので、熱揺らぎによる時期消失が生じにくい面積を維持しつつ、半径方向に関して、比較的細かい間隔でビットパターン１２０を配置することができる。このようにすることで、半径方向に並ぶビットパターンの集合をほぼ連続領域のように扱う（情報を読み書きする）ことができるので、記録素子と再生素子の間に半径方向のオフセットがある場合(図５（ａ）のような場合)であっても、当該オフセットを考慮した位置に補正信号を書き込むことができるので、オフセットの影響なく、補正信号の読み書きを行うことができる。また、ビットパターン１２０の円周方向長さを長くすることで、磁気ヘッドをシークさせる際の補正信号読み取り誤差を小さくすることができる。
【００４７】
また、本実施形態によると、データ領域９２のビットパターン１２２のアスペクト比と、ポストコード領域１０８のビットパターン１２０のアスペクト比の逆数とが一致し、かつ、各ビットパターン１２２，１２０の面積が同一とされている。これにより、磁気消失が生じにくい面積を維持しつつ、ポストコード領域１０８のビットパターンを半径方向に多数配列することができる。また、オフセット量に関わらず、ポストコード領域１０８に対して偏心補正信号を連続領域と同様に書き込むことができるので、記録素子４４と再生素子４２の偏心補正を確実に行うことができる。また、ビットパターン１２０，１２２を同一形状とすることで、極端に細いパターンとはならないので、ビットパターンの形成を容易に行うことができるとともに、ポストコード領域１０８の半径方向への広がりによる記録密度の低下を極力抑制することができる。
【００４８】
なお、上記実施形態では、データ領域９２のビットパターン１２２のアスペクト比と、ポストコード領域１０８のビットパターン１２０のアスペクト比の逆数とが一致する場合について説明したが、これに限らず、両アスペクト比の間に関連が無くても良い。
【００４９】
また、上記実施形態では、ビットパターン１２０，１２２が長方形である場合について説明したが、これに限らず、ビットパターン１２０，１２２は楕円形など他の形状を有していても良い。また、ビットパターン１２０とビットパターン１２０とが別々の形状を有していても良い。
【００５０】
なお、上記実施形態では、図示の便宜上、記録素子用ポストコード領域１０８Ｗを４ビット、再生素子用ポストコード領域１０８Ｒを４ビットとして説明したが、これに限らず、偏心補正信号のデータ量に応じて、ビット数を変更しても良い。
【００５１】
なお、上記実施形態では、データ領域１トラックに対して、ポストコード領域のビットパターン１２０が３列配列された場合について説明したが、これに限らず、ビットパターン１２０は、データ領域１トラックに対して何列配列されていても良い。
【００５２】
なお、上記実施形態では、ビットパターン１２２が同心円状に配置された場合について説明したが、これに限らず、らせん状に配置されても良い。
【００５３】
また、記録素子の補正を重要視しない機種の場合は記録素子用ポストコードを省略し、再生素子用ポストコードのみ設けることにしても良い。このようにすることで、その分の記録容量をデータの格納用として利用することが可能である。
【００５４】
上述した実施形態は本発明の好適な実施の例である。但し、これに限定されるものではなく、本発明の要旨を逸脱しない範囲内において種々変形実施可能である。
【図面の簡単な説明】
【００５５】
【図１】一実施形態に係るＨＤＤの構成を概略的に示す図である。
【図２】磁気ディスク上のフォーマットを模式的に示す図である。
【図３】ＨＤＤの制御系を示すブロック図
【図４】ポストコード領域及びデータ領域の一部を拡大して示す平面図である。
【図５】図５（ａ）は、再生素子及び記録素子のオフセットを示す図であり、図５（ｂ）は、記録素子及び再生素子の補正量を示す図である。
【図６】図６（ａ）は、記録素子用の偏心補正信号を書き込む領域を示す図であり、図６（ｂ）は、再生素子用の偏心補正信号を書き込む領域を示す図である。
【符号の説明】
【００５６】
１０  磁気ディスク（磁気記録媒体）
１４  スピンドルモータ（駆動部）
４０  ＨＳＡ（ヘッドアクチュエータ）
４２  再生素子
４４  記録素子
１００  ＨＤＤ（磁気記憶装置）
１２０  ビットパターン（補正信号を書き込むための単磁区磁性ドット）
１２２  ビットパターン（データ情報を書き込むための単磁区磁性ドット）
１５０  制御系（制御部）
２００  ディスク基板（基板）
【図１】
2010140545.tif 000003
【図２】
2010140545.tif 000004
【図３】
2010140545.tif 000005
【図４】
2010140545.tif 000006
【図５】
2010140545.tif 000007
【図６】
2010140545.tif 000008